(57)【要約】【課題】無線通信システムの送信端で一つ以上の第１チャネルが第２チャネルにマッピングされるＭＡＣ階層でデータを処理する方法を提供する。【解決手段】ＭＡＣ階層データブロックは、前記一つ以上の第１チャネルを通じて受信される一つ以上の上位階層データを含み、２タイプ以上の情報を指示する少なくとも一つのフィールドを含むヘッダを付加することによって構成される。また、ＭＡＣ階層データブロックは、前記第２チャネルを通じて下位階層に伝送される。【選択図】図１
2011166823.tif 000002
【特許請求の範囲】
【請求項１】
無線通信システムの送信側においてＭＡＣ（Ｍｅｄｉｕｍ  Ａｃｃｅｓｓ  Ｃｏｎｔｒｏｌ）階層でデータを処理する方法であって、
前記方法は、
複数の論理チャネルのうちの少なくとも１つの論理チャネルを介して少なくとも１つの上位階層ＰＤＵ（Ｐｒｏｔｏｃｏｌ  Ｄａｔａ  Ｕｎｉｔ）を受信することと、
前記少なくとも１つの上位階層ＰＤＵを含めることにより、少なくとも１つのＭＡＣ−ｅｓ  ＰＤＵを構成することと、
ヘッダおよび前記少なくとも１つのＭＡＣ−ｅｓ  ＰＤＵを含めることにより、ＭＡＣ−ｅ  ＰＤＵを構成することであって、前記ヘッダは、複数のフィールドを含み、前記複数のフィールドのうちの単一のフィールドが、前記少なくとも１つの上位階層ＰＤＵを識別するために用いられる少なくとも２つのタイプの情報を示し、前記少なくとも２つのタイプの情報は、前記少なくとも１つの上位階層ＰＤＵのサイズおよび論理チャネル情報を含む、ことと
を含み、
前記複数の論理チャネルは、アップリンク伝送チャネルにマッピングされる、方法。
【請求項２】
前記少なくとも１つの上位階層ＰＤＵは、ＭＡＣ−ｄ  ＳＤＵ（Ｓｅｒｖｉｃｅ  Ｄａｔａ  Ｕｎｉｔ）であり、
前記少なくとも１つの上位階層ＰＤＵを受信することは、
少なくとも１つのＭＡＣ−ｄ  ＳＤＵから少なくとも１つのＭＡＣ−ｄ  ＰＤＵを構成することと、
前記少なくとも１つのＭＡＣ−ｄ  ＰＤＵをＭＡＣ−ｅｓ下位階層に伝送することと
を含む、請求項１に記載の方法。
【請求項３】
前記複数の論理チャネルの各々は、ＤＣＣＨ（Ｄｅｄｉｃａｔｅｄ  Ｃｏｎｔｒｏｌ  Ｃｈａｎｎｅｌ）およびＤＴＣＨ（Ｄｅｄｉｃａｔｅｄ  Ｔｒａｆｆｉｃ  Ｃｈａｎｎｅｌ）を含む、請求項１に記載の方法。
【請求項４】
前記複数のフィールドのうちの前記単一のフィールドは、前記ＭＡＣ−ｅ  ＰＤＵ内の前記少なくとも１つのＭＡＣ−ｅｓ  ＰＤＵの各々に対応する、請求項１に記載の方法。
【請求項５】
前記複数のフィールドのうちの前記単一のフィールドは、さらに、ＭＡＣ−ｄフローを識別する、請求項１に記載の方法。
【請求項６】
前記少なくとも１つの上位階層ＰＤＵのサイズ、前記ＭＡＣ−ｄフローおよび前記複数の論理チャネルの全てと前記複数のフィールドのうちの前記単一のフィールドとの間のマッピングは、上位階層により提供される、請求項５に記載の方法。
【請求項７】
前記複数のフィールドのうちの前記単一のフィールドは、対応するＭＡＣ−ｅｓ  ＰＤＵに連結される前記少なくとも１つのＭＡＣ−ｄ  ＰＤＵのサイズ、ＭＡＣ−ｄフローおよび論理チャネルを識別する、請求項２に記載の方法。
【請求項８】
前記アップリンク伝送チャネルは、Ｅ−ＤＣＨ（Ｅｎｈａｎｃｅｄ  Ｄｅｄｉｃａｔｅｄ  Ｃｈａｎｎｅ）である、請求項１に記載の方法。
【請求項９】
前記Ｅ−ＤＣＨは、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）にマッピングされる、請求項８に記載の方法。
【請求項１０】
前記Ｅ−ＤＣＨは、少なくともＨＡＲＱ（Ｈｙｂｒｉｄ  Ａｕｔｏｍａｔｉｃ  Ｒｅｐｅａｔ  Ｒｅｑｕｅｓｔ）、ＡＭＣ（Ａｄａｐｔｉｖｅ  Ｍｏｄｕｌａｔｉｏｎ  ａｎｄ  Ｃｏｄｉｎｇ）またはＮｏｄｅＢ制御スケジューリングをサポートする、請求項８に記載の方法。
【請求項１１】
前記アップリンク伝送チャネルを介して前記ＭＡＣ−ｅ  ＰＤＵを下位階層に伝送することをさらに含む、請求項１に記載の方法。
【請求項１２】
前記ヘッダは、さらに、少なくとも１つのフィールドの各々により示されている前記少なくとも１つの上位階層ＰＤＵの数を示す他のフィールドを含む、請求項１に記載の方法。
【請求項１３】
無線通信システムの受信側においてＭＡＣ（Ｍｅｄｉｕｍ  Ａｃｃｅｓｓ  Ｃｏｎｔｒｏｌ）階層でデータを処理する方法であって、
前記方法は、
ＭＡＣ−ｅ  ＰＤＵ（Ｐｒｏｔｏｃｏｌ  Ｄａｔａ  Ｕｎｉｔ）のヘッダの情報に基づいて、前記ＭＡＣ−ｅ  ＰＤＵから少なくとも１つのＭＡＣ−ｅｓ  ＰＤＵをデマルチプレックスすることであって、前記ヘッダは、複数のフィールドを含み、前記複数のフィールドのうちの単一のフィールドが、少なくとも１つの上位階層ＰＤＵを識別するために用いられる少なくとも２つのタイプの情報を示し、前記少なくとも２つのタイプの情報は、前記少なくとも１つの上位階層ＰＤＵのサイズおよび論理チャネル情報を含む、ことと、
前記少なくとも１つのＭＡＣ−ｅｓ  ＰＤＵの各々から前記少なくとも１つの上位階層ＰＤＵをデマルチプレックスすることと、
複数の論理チャネルのうちの少なくとも１つの論理チャネルを介して前記少なくとも１つの上位階層ＰＤＵを上位階層に伝送することと
を含み、
前記複数の論理チャネルは、アップリンク伝送チャネルにマッピングされる、方法。
【請求項１４】
前記少なくとも１つの上位階層ＰＤＵは、ＭＡＣ−ｄ  ＳＤＵ（Ｓｅｒｖｉｃｅ  Ｄａｔａ  Ｕｎｉｔ）であり、
前記少なくとも１つの上位階層ＰＤＵを伝送することは、
少なくとも１つのＭＡＣ−ｄ  ＰＤＵをＭＡＣ−ｅｓ下位階層から受信することと、
前記少なくとも１つのＭＡＣ−ｄ  ＰＤＵから少なくとも１つのＭＡＣ−ｄ  ＳＤＵを取得することと
を含む、請求項１３に記載の方法。
【請求項１５】
前記複数の論理チャネルの各々は、ＤＣＣＨ（Ｄｅｄｉｃａｔｅｄ  Ｃｏｎｔｒｏｌ  Ｃｈａｎｎｅｌ）およびＤＴＣＨ（Ｄｅｄｉｃａｔｅｄ  Ｔｒａｆｆｉｃ  Ｃｈａｎｎｅｌ）を含む、請求項１３に記載の方法。
【請求項１６】
前記複数のフィールドのうちの前記単一のフィールドは、前記ＭＡＣ−ｅ  ＰＤＵ内の前記少なくとも１つのＭＡＣ−ｅｓ  ＰＤＵの各々に対応する、請求項１３に記載の方法。
【請求項１７】
前記複数のフィールドのうちの前記単一のフィールドは、さらに、ＭＡＣ−ｄフローを識別する、請求項１３に記載の方法。
【請求項１８】
前記上位階層ＰＤＵのサイズ、前記ＭＡＣ−ｄフローおよび前記複数の論理チャネルの全てと前記複数のフィールドのうちの前記単一のフィールドとの間のマッピングは、上位階層により提供される、請求項１７に記載の方法。
【請求項１９】
前記複数のフィールドのうちの前記単一のフィールドは、対応するＭＡＣ−ｅｓ  ＰＤＵに連結される前記少なくとも１つのＭＡＣ−ｄ  ＰＤＵのサイズ、ＭＡＣ−ｄフローおよび論理チャネルを識別する、請求項１４に記載の方法。
【請求項２０】
前記アップリンク伝送チャネルは、Ｅ−ＤＣＨ（Ｅｎｈａｎｃｅｄ  Ｄｅｄｉｃａｔｅｄ  Ｃｈａｎｎｅ）である、請求項１３に記載の方法。
【請求項２１】
前記Ｅ−ＤＣＨは、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）にマッピングされる、請求項２０に記載の方法。
【請求項２２】
前記Ｅ−ＤＣＨは、少なくともＨＡＲＱ（Ｈｙｂｒｉｄ  Ａｕｔｏｍａｔｉｃ  Ｒｅｐｅａｔ  Ｒｅｑｕｅｓｔ）、ＡＭＣ（Ａｄａｐｔｉｖｅ  Ｍｏｄｕｌａｔｉｏｎ  ａｎｄ  Ｃｏｄｉｎｇ）またはＮｏｄｅＢ制御スケジューリングをサポートする、請求項２０に記載の方法。
【請求項２３】
前記アップリンク伝送チャネルを介して下位階層から前記ＭＡＣ−ｅ  ＰＤＵを受信することをさらに含む、請求項１３に記載の方法。
【請求項２４】
前記ヘッダは、さらに、少なくとも１つのフィールドの各々により示されている前記少なくとも１つの上位階層ＰＤＵの数を示す他のフィールドを含む、請求項１３に記載の方法。
【請求項２５】
無線通信システムにおいて用いられる装置であって、前記装置は、アンテナと、ＲＦ（Ｒａｄｉｏ  Ｆｒｅｑｕｅｎｃｙ）モジュールと、データブロック処理ユニットとを備え、前記データブロック処理ユニットは、
複数の論理チャネルのうちの少なくとも１つの論理チャネルを介して少なくとも１つの上位階層ＰＤＵ（Ｐｒｏｔｏｃｏｌ  Ｄａｔａ  Ｕｎｉｔ）を受信することと、
前記少なくとも１つの上位階層ＰＤＵを含めることにより、少なくとも１つのＭＡＣ−ｅｓ  ＰＤＵを構成することと、
ヘッダおよび前記少なくとも１つのＭＡＣ−ｅｓ  ＰＤＵを含めることにより、ＭＡＣ−ｅ  ＰＤＵを構成することであって、前記ヘッダは、複数のフィールドを含み、前記複数のフィールドのうちの単一のフィールドが、前記少なくとも１つの上位階層ＰＤＵを識別するために用いられる少なくとも２つのタイプの情報を示し、前記少なくとも２つのタイプの情報は、前記少なくとも１つの上位階層ＰＤＵのサイズおよび論理チャネル情報を含む、ことと
を実行するように構成され、
前記複数の論理チャネルは、アップリンク伝送チャネルにマッピングされる、装置。
【請求項２６】
前記少なくとも１つの上位階層ＰＤＵは、ＭＡＣ−ｄ  ＳＤＵ（Ｓｅｒｖｉｃｅ  Ｄａｔａ  Ｕｎｉｔ）であり、
前記少なくとも１つの上位階層ＰＤＵを受信することは、
少なくとも１つのＭＡＣ−ｄ  ＳＤＵから少なくとも１つのＭＡＣ−ｄ  ＰＤＵを構成することと、
前記少なくとも１つのＭＡＣ−ｄ  ＰＤＵをＭＡＣ−ｅｓ下位階層に伝送することと
を含む、請求項２５に記載の装置。
【請求項２７】
前記複数の論理チャネルの各々は、ＤＣＣＨ（Ｄｅｄｉｃａｔｅｄ  Ｃｏｎｔｒｏｌ  Ｃｈａｎｎｅｌ）およびＤＴＣＨ（Ｄｅｄｉｃａｔｅｄ  Ｔｒａｆｆｉｃ  Ｃｈａｎｎｅｌ）を含む、請求項２５に記載の装置。
【請求項２８】
前記複数のフィールドのうちの前記単一のフィールドは、前記ＭＡＣ−ｅ  ＰＤＵ内の前記少なくとも１つのＭＡＣ−ｅｓ  ＰＤＵの各々に対応する、請求項２５に記載の装置。
【請求項２９】
前記複数のフィールドのうちの前記単一のフィールドは、さらに、ＭＡＣ−ｄフローを識別する、請求項２５に記載の装置。
【請求項３０】
前記少なくとも１つの上位階層ＰＤＵのサイズ、前記ＭＡＣ−ｄフローおよび前記複数の論理チャネルの全てと前記複数のフィールドのうちの前記単一のフィールドとの間のマッピングは、上位階層により提供される、請求項２９に記載の装置。
【請求項３１】
前記複数のフィールドのうちの前記単一のフィールドは、対応するＭＡＣ−ｅｓ  ＰＤＵに連結される前記少なくとも１つのＭＡＣ−ｄ  ＰＤＵのサイズ、ＭＡＣ−ｄフローおよび論理チャネルを識別する、請求項２６に記載の装置。
【請求項３２】
前記アップリンク伝送チャネルは、Ｅ−ＤＣＨ（Ｅｎｈａｎｃｅｄ  Ｄｅｄｉｃａｔｅｄ  Ｃｈａｎｎｅ）である、請求項２５に記載の装置。
【請求項３３】
前記Ｅ−ＤＣＨは、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）にマッピングされる、請求項３２に記載の装置。
【請求項３４】
前記Ｅ−ＤＣＨは、少なくともＨＡＲＱ（Ｈｙｂｒｉｄ  Ａｕｔｏｍａｔｉｃ  Ｒｅｐｅａｔ  Ｒｅｑｕｅｓｔ）、ＡＭＣ（Ａｄａｐｔｉｖｅ  Ｍｏｄｕｌａｔｉｏｎ  ａｎｄ  Ｃｏｄｉｎｇ）またはＮｏｄｅＢ制御スケジューリングをサポートする、請求項３２に記載の装置。
【請求項３５】
前記データブロック処理ユニットは、前記アップリンク伝送チャネルを介して前記ＭＡＣ−ｅ  ＰＤＵを下位階層に伝送するようにさらに構成される、請求項２５に記載の装置。
【請求項３６】
前記ヘッダは、さらに、少なくとも１つのフィールドの各々により示されている前記少なくとも１つの上位階層ＰＤＵの数を示す他のフィールドを含む、請求項２５に記載の装置。
【請求項３７】
無線通信システムにおいて用いられる装置であって、前記装置は、アンテナと、ＲＦ（Ｒａｄｉｏ  Ｆｒｅｑｕｅｎｃｙ）モジュールと、データブロック処理ユニットとを備え、前記データブロック処理ユニットは、
ＭＡＣ−ｅ  ＰＤＵ（Ｐｒｏｔｏｃｏｌ  Ｄａｔａ  Ｕｎｉｔ）のヘッダの情報に基づいて、前記ＭＡＣ−ｅ  ＰＤＵから少なくとも１つのＭＡＣ−ｅｓ  ＰＤＵをデマルチプレックスすることであって、前記ヘッダは、複数のフィールドを含み、前記複数のフィールドのうちの単一のフィールドが、少なくとも１つの上位階層ＰＤＵを識別するために用いられる少なくとも２つのタイプの情報を示し、前記少なくとも２つのタイプの情報は、前記少なくとも１つの上位階層ＰＤＵのサイズおよび論理チャネル情報を含む、ことと、
前記少なくとも１つのＭＡＣ−ｅｓ  ＰＤＵの各々から前記少なくとも１つの上位階層ＰＤＵをデマルチプレックスすることと、
複数の論理チャネルのうちの少なくとも１つの論理チャネルを介して前記少なくとも１つの上位階層ＰＤＵを上位階層に伝送することと
を実行するように構成され、
前記複数の論理チャネルは、アップリンク伝送チャネルにマッピングされる、装置。
【請求項３８】
前記少なくとも１つの上位階層ＰＤＵは、ＭＡＣ−ｄ  ＳＤＵ（Ｓｅｒｖｉｃｅ  Ｄａｔａ  Ｕｎｉｔ）であり、
前記少なくとも１つの上位階層ＰＤＵを伝送することは、
少なくとも１つのＭＡＣ−ｄ  ＰＤＵをＭＡＣ−ｅｓ下位階層から受信することと、
前記少なくとも１つのＭＡＣ−ｄ  ＰＤＵから少なくとも１つのＭＡＣ−ｄ  ＳＤＵを取得することと
を含む、請求項３７に記載の装置。
【請求項３９】
前記複数の論理チャネルの各々は、ＤＣＣＨ（Ｄｅｄｉｃａｔｅｄ  Ｃｏｎｔｒｏｌ  Ｃｈａｎｎｅｌ）およびＤＴＣＨ（Ｄｅｄｉｃａｔｅｄ  Ｔｒａｆｆｉｃ  Ｃｈａｎｎｅｌ）を含む、請求項３７に記載の装置。
【請求項４０】
前記複数のフィールドのうちの前記単一のフィールドは、前記ＭＡＣ−ｅ  ＰＤＵ内の前記少なくとも１つのＭＡＣ−ｅｓ  ＰＤＵの各々に対応する、請求項３７に記載の装置。
【請求項４１】
前記複数のフィールドのうちの前記単一のフィールドは、さらに、ＭＡＣ−ｄフローを識別する、請求項３７に記載の装置。
【請求項４２】
前記上位階層ＰＤＵのサイズ、前記ＭＡＣ−ｄフローおよび前記複数の論理チャネルの全てと前記複数のフィールドのうちの前記単一のフィールドとの間のマッピングは、上位階層により提供される、請求項４１に記載の装置。
【請求項４３】
前記複数のフィールドのうちの前記単一のフィールドは、対応するＭＡＣ−ｅｓ  ＰＤＵに連結される前記少なくとも１つのＭＡＣ−ｄ  ＰＤＵのサイズ、ＭＡＣ−ｄフローおよび論理チャネルを識別する、請求項３８に記載の装置。
【請求項４４】
前記アップリンク伝送チャネルは、Ｅ−ＤＣＨ（Ｅｎｈａｎｃｅｄ  Ｄｅｄｉｃａｔｅｄ  Ｃｈａｎｎｅ）である、請求項３７に記載の装置。
【請求項４５】
前記Ｅ−ＤＣＨは、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）にマッピングされる、請求項４４に記載の装置。
【請求項４６】
前記Ｅ−ＤＣＨは、少なくともＨＡＲＱ（Ｈｙｂｒｉｄ  Ａｕｔｏｍａｔｉｃ  Ｒｅｐｅａｔ  Ｒｅｑｕｅｓｔ）、ＡＭＣ（Ａｄａｐｔｉｖｅ  Ｍｏｄｕｌａｔｉｏｎ  ａｎｄ  Ｃｏｄｉｎｇ）またはＮｏｄｅＢ制御スケジューリングをサポートする、請求項４４に記載の装置。
【請求項４７】
前記データブロック処理ユニットは、前記アップリンク伝送チャネルを介して下位階層から前記ＭＡＣ−ｅ  ＰＤＵを受信するようにさらに構成される、請求項３７に記載の装置。
【請求項４８】
前記ヘッダは、さらに、少なくとも１つのフィールドの各々により示されている前記少なくとも１つの上位階層ＰＤＵの数を示す他のフィールドを含む、請求項３７に記載の装置。
【発明の詳細な説明】
【技術分野】
【０００１】
本発明は、データ処理方法に係り、より具体的には、ＭＡＣ階層でデータを処理する方法に関する。
【背景技術】
【０００２】
図１は、従来技術による移動通信システムであるＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の網構成図である。ＵＭＴＳシステムは、大きく、端末（Ｕｓｅｒ  Ｅｑｕｉｐｍｅｎｔ；以下、‘ＵＥ’と略す。）、ＵＭＴＳ無線接続網（ＵＭＴＳ  Ｔｅｒｒｅｓｔｒｉａｌ  Ｒａｄｉｏ  Ａｃｃｅｓｓ  Ｎｅｔｗｏｒｋ；以下、‘ＵＴＲＡＮ’と略す。）及び核心網（Ｃｏｒｅ  Ｎｅｔｗｏｒｋ；以下、‘ＣＮ’と略す。）で構成される。ＵＴＲＡＮは、一つ以上の無線網副システム（Ｒａｄｉｏ  Ｎｅｔｗｏｒｋ  Ｓｕｂ−ｓｙｓｔｅｍｓ；以下、‘ＲＮＳ’と略す。）で構成され、各ＲＮＳは、一つの無線網制御機（Ｒａｄｉｏ  Ｎｅｔｗｏｒｋ  Ｃｏｎｔｒｏｌｌｅｒ；以下、‘ＲＮＣ’と略す。）とこのＲＮＣによって管理される一つ以上の基地局（以下、Ｎｏｄｅ  Ｂ）とで構成される。一つのＮｏｄｅ  Ｂには一つ以上のセル（Ｃｅｌｌ）が存在する。
【０００３】
図２は、端末とＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）間の無線インターフェースプロトコル（Ｒａｄｉｏ  Ｉｎｔｅｒｆａｃｅ  Ｐｒｏｔｏｃｏｌ）の構造を示す図である。ここで、端末は、３ＧＰＰ（３ｒｄ  Ｇｅｎｅｒａｔｉｏｎ  Ｐａｒｔｎｅｒｓｈｉｐ  Ｐｒｏｊｅｃｔ）無線接続網規格を基盤とする。図２の無線インターフェースプロトコルは、水平的に、物理階層（Ｐｈｙｓｉｃａｌ  Ｌａｙｅｒ）、データリンク階層（Ｄａｔａ  Ｌｉｎｋ  Ｌａｙｅｒ）及びネットワーク階層（Ｎｅｔｗｏｒｋ  Ｌａｙｅｒ）に区分され、垂直的には、データ情報伝送のためのユーザー平面（Ｕｓｅｒ  Ｐｌａｎｅ）と制御信号（Ｓｉｇｎａｌｉｎｇ）伝達のための制御平面（Ｃｏｎｔｒｏｌ  Ｐｌａｎｅ）とに区分される。図２のプロトコル階層は、通信システムで広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１階層）、Ｌ２（第２階層）、Ｌ３（第３階層）に区分されることができる。
【０００４】
第１階層である物理階層は、物理チャネル（Ｐｈｙｓｉｃａｌ  Ｃｈａｎｎｅｌ）を用いて上位階層に情報伝送サービス（Ｉｎｆｏｒｍａｔｉｏｎ  Ｔｒａｎｓｆｅｒ  Ｓｅｒｖｉｃｅ）を提供する。物理階層は、上位にある媒体接続制御（Ｍｅｄｉｕｍ  Ａｃｃｅｓｓ  Ｃｏｎｔｒｏｌ）階層とは伝送チャネル（Ｔｒａｎｓｐｏｒｔ  Ｃｈａｎｎｅｌ）を通じて連結されており、この伝送チャネルを通じて媒体接続制御階層と物理階層間のデータが移動する。そして、相異なる物理階層の間、すなわち、送信側と受信側の物理階層間は、物理チャネルを通じてデータが移動する。
【０００５】
第２階層の媒体接続制御（Ｍｅｄｉｕｍ  Ａｃｃｅｓｓ  Ｃｏｎｔｒｏｌ；以下、‘ＭＡＣ’と略す。）は、論理チャネル（Ｌｏｇｉｃａｌ  Ｃｈａｎｎｅｌ）を通じて、上位階層である無線リンク制御（Ｒａｄｉｏ  Ｌｉｎｋ  Ｃｏｎｔｒｏｌ）階層にサービスを提供する。ＭＡＣは、管理する伝送チャネルの種類によってＭＡＣ−ｂ、ＭＡＣ−ｃ／ｓｈ、ＭＡＣ−ｄ、ＭＡＣ−ｅなど、多数の副階層に区分されることができる。
【０００６】
図３は、Ｅ−ＤＣＨ（Ｅｎｈａｎｃｅｄ  Ｄｅｄｉｃａｔｅｄ  Ｃｈａｎｎｅｌ）のためのプロトコルモデルを示す図である。図３に示すように、Ｅ−ＤＣＨを支援するＭＡＣ−ｅ副階層は、ＵＴＲＡＮと端末のＭＡＣ−ｄ副階層下位にそれぞれ存在する。ＵＴＲＡＮのＭＡＣ−ｅ副階層は、Ｎｏｄｅ  Ｂ及び各端末に存在する。一方、ＵＴＲＡＮのＭＡＣ−ｄ副階層は、該当端末の管理を担当するＳＲＮＣ（Ｓｅｒｖｉｎｇ  ＲＮＣ）、及び各端末に存在する。
【０００７】
上記のように、従来技術においてＥ−ＤＣＨを支援するためのＭＡＣ階層は、ＭＡＣ−ｄ副階層、ＭＡＣ−ｅｓ副階層及びＭＡＣ−ｄ副階層によって構成される。一方、一つの端末であっても、同時にデータを伝送できるデータチャネルが只一つであるわけではなく、なお、それぞれのデータチャネルは、相異なるサービス品質に設定される。ここで、サービス品質は、データのエラー率、伝送遅延時間などを意味し、これは、データチャネルを利用するように設定されたそれぞれのサービスの要求事項に従う。すなわち、音声サービスとインターネットサービスがある場合、それぞれのサービスの要求事項が異なるため、データを伝達する下位チャネルの設定は異なってくる。
【０００８】
特に、各チャネルを通じて伝送されるデータの量が常に一定であるわけではなく、伝送されるデータの量が経時変化する。Ｅ−ＤＣＨに挙げて説明すると、端末には一つのＥ−ＤＣＨが設定され、特に、特定時間には一つのデータチャネルのみＥ−ＤＣＨにマッピングされるように設定されると、データ伝送効率の低下、無線チャネル資源の無駄使いを招くことにつながる。具体的には、特定時間にＥ−ＤＣＨが１０００ビットのデータを伝送できると仮定し、当該特定時間にＥ−ＤＣＨを使用するように設定された特定データチャネルには５００ビットのデータがあり、別のデータチャネルには３００ビットがある場合、前記Ｅ−ＤＣＨを特定時間に一つのデータチャネルのみマッピングされるようにすると、当該Ｅ−ＤＣＨは最大の効率で使用されず、無線資源の無駄使いやデータの伝達遅延につながることになる。
【０００９】
特定時間には一つのデータチャネルのみがＥ−ＤＣＨにマッピングされるように設定されると、データ伝送効率の低下、無線チャネル資源の無駄使いを招くことになる。具体的に説明すると、特定時間にＥ−ＤＣＨが１０００ビットのデータを伝送できると仮定する。この例で、特定時間にＥ−ＤＣＨを使用するように設定された特定データチャネルには５００ビットのデータがあり、別のデータチャネルには３００ビットがある。特定時間に１０００ビットのデータを伝送できるＥ−ＤＣＨを、同じデータ量を伝送するために相異なる２個のチャネルを使用せずに８００ビットのデータを伝送するために用いると、該Ｅ−ＤＣＨは最大の効率で使用されず、無線資源の無駄使いやデータの伝達遅延を招くことにつながる。
【００１０】
したがって、無線資源効率を上げるために、ＭＡＣ−ｄ／ＭＡＣ−ｅｓ／ＭＡＣ−ｅの各副階層を通過する度に、それぞれの上位階層のデータブロックを組み合わせて下位階層のデータブロックとすることが好ましい。この場合に、受信側が送信側から一つのデータブロックを受信して多数の上位階層のデータブロックに正確に分解するためには、送信側は、受信側へデータブロックを正確に分解できるように情報を提供しなければならない。このような情報をマッピング情報（ｍａｐｐｉｎｇ  ｉｎｆｏｒｍａｔｉｏｎ）という。
【００１１】
このマッピング情報がデータブロックの組み合わせを詳細に説明すればするほど受信側でのデータブロック分解には有利になるが、このマッピング情報は上位階層のユーザーデータではなく制御情報に過ぎないため、過度に多くなると伝送チャネルの資源を無駄使いする結果を招く。したがって、マッピング情報は、下位チャネル（例えば、伝送チャネル）の資源を最小限に使用しながらも受信側での正確なデータブロック分解を可能にするように構成することが好ましい。すなわち、マッピング情報はごく最小限のビット数を持つか、最小限の下位チャネルの資源を使用しながら最大限のデータを含むことができるように構成することが要求される。
【発明の概要】
【発明が解決しようとする課題】
【００１２】
したがって、本発明は、上記従来技術の限界及び不利な点に起因する一つ以上の問題を実質的に解決するための、ＭＡＣ階層でデータを処理する方法と関連する。
【００１３】
本発明の一目的は、無線通信システムの送信端で一つ以上の第１チャネルが第２チャネルにマッピングされるＭＡＣ階層でデータを処理する方法を提供することにある。
【００１４】
本発明の他の目的は、無線通信システムの受信端で一つ以上の第１チャネルが第２チャネルにマッピングされるＭＡＣ階層でデータを処理する方法を提供することにある。
【００１５】
本発明のさらに他の目的は、無線通信システムの送信端で一つ以上の第１チャネルが第２チャネルにマッピングされるユーザー機器のＭＡＣ階層でデータを処理する方法を提供することにある。
【００１６】
本発明の追加的な利点、目的及び特徴は、一部は以下の詳細な説明で説明され、一部は以下説明に基づいて当該技術分野における通常の知識を持つ者にとっては明白なもので、本発明の実行によって明らかになるであろう。上記発明の目的、他の利点は、添付の図面の他、ここに作成された説明及び請求項で指摘された構造によって実現され、得られることができる。
【課題を解決するための手段】
【００１７】
以上の目的及び他の利点を得るために、そして、発明の目的に応じてここに具体化され且つ概略説明される、無線通信システムの送信端で一つ以上の第１チャネルが第２チャネルにマッピングされるＭＡＣ階層でデータを処理する方法は、前記一つ以上の第１チャネルを通じて受信される一つ以上の上位階層データを含み、２タイプ以上の情報を指示するフィールドを含めて一つ以上のフィールドを含むヘッダを付加することによってＭＡＣ階層データブロックを構成する段階を含む。そして、前記第２チャネルを通じて下位階層に前記ＭＡＣ階層データブロックを伝送する段階を含む。
【００１８】
本発明の他の様態として、無線通信システムの受信端で一つ以上の第１チャネルが第２チャネルにマッピングされるＭＡＣ階層でデータを処理する方法は、前記第２チャネルを通じて下位階層からヘッダを含むＭＡＣ階層データブロックを受信する段階を含む。ここで、前記ヘッダは、２タイプ以上の情報を指示するフィールドを含めて一つ以上のフィールドを含む。そして、前記２タイプ以上の情報を用いて前記一つ以上の第１チャネルを通じて上位階層にＭＡＣ階層データブロックに含まれる一つ以上の上位階層データブロックを伝送する段階を含む。
【００１９】
本発明の他の様態として、無線通信システムの送信端で一つ以上の第１チャネルが第２チャネルにマッピングされるユーザー機器のＭＡＣ階層でデータを処理する方法は、前記一つ以上の第１チャネルを通じて受信される一つ以上の上位階層データを含み、２タイプ以上の情報を指示するフィールドを含めて一つ以上のフィールドを含むヘッダを付加することによってＭＡＣ階層データブロックを構成する段階を含む。そして、前記第２チャネルを通じて下位階層に前記ＭＡＣ階層データブロックを伝送する段階を含む。
（項目１）
無線通信システムの送信端で一つ以上の第１チャネルが第２チャネルにマッピングされるＭＡＣ階層でデータを処理する方法であって、
前記一つ以上の第１チャネルを通じて受信される一つ以上の上位階層データを含み、２タイプ以上の情報を指示するフィールドを含めて一つ以上のフィールドを含むヘッダを付加することによってＭＡＣ階層データブロックを構成する段階と、
前記第２チャネルを通じて下位階層に前記ＭＡＣ階層データブロックを伝送する段階と、
を含む、データ処理方法。
（項目２）
前記第１チャネルは論理チャネルであり、前記第２チャネルは伝送チャネルであることを特徴とする、項目１に記載のデータ処理方法。
（項目３）
それぞれの前記フィールドは、それぞれの論理チャネルのために含まれることを特徴とする、項目１に記載のデータ処理方法。
（項目４）
前記情報は、論理チャネル情報を含むことを特徴とする、項目２に記載のデータ処理方法。
（項目５）
前記論理チャネル情報は、論理チャネル識別子であることを特徴とする、項目４に記載のデータ処理方法。
（項目６）
前記データ処理方法は、
同一の論理チャネルを通じて伝送するように、全ての上位階層データブロックに一つの共通論理チャネル識別子を付加する段階をさらに含むことを特徴とする、項目５に記載のデータ処理方法。
（項目７）
前記情報は、上位階層データブロックの大きさを含むことを特徴とする、項目２に記載のデータ処理方法。
（項目８）
前記情報は、ＭＡＣ−ｄフローを含むことを特徴とする、項目２に記載のデータ処理方法。
（項目９）
前記伝送チャネルは、拡張指定チャネル（Ｅｎｈａｎｃｅｄ  Ｄｅｄｉｃａｔｅｄ  Ｃｈａｎｎｅｌ：Ｅ−ＤＣＨ）であることを特徴とする、項目８に記載のデータ処理方法。
（項目１０）
前記ヘッダは、前記ＭＡＣ階層データブロックに含まれ、各前記第１チャネルを通じて伝送される上位階層データブロックの数を指示するフィールドをさらに含み、前記第１チャネルは、論理チャネルであることを特徴とする、項目１に記載のデータ処理方法。
（項目１１）
前記データ処理方法は、
前記第１チャネルを通じて伝送される上位階層データブロックに、より小さい大きさ単位に索引を付加する段階と、
前記ヘッダに前記索引を含める段階と、
をさらに含むことを特徴とする、項目１に記載のデータ処理方法。
（項目１２）
前記各論理チャネルを表すより小さい大きさは、それぞれ異なることを特徴とする、項目１１に記載のデータ処理方法。
（項目１３）
無線通信システムの受信端で一つ以上の第１チャネルが第２チャネルにマッピングされるＭＡＣ階層でデータを処理する方法であって、
前記第２チャネルを通じて下位階層からヘッダを含むＭＡＣ階層データブロックを受信し、前記ヘッダは、２タイプ以上の情報を指示するフィールドを含めて一つ以上のフィールドを含むことを特徴とする、受信段階と、
前記２タイプ以上の情報を用いて前記一つ以上の第１チャネルを通じて上位階層に、ＭＡＣ階層データブロックに含まれる一つ以上の上位階層データブロックを伝送する段階と、
を含む、データ処理方法。
（項目１４）
前記第１チャネルは論理チャネルであり、前記第２チャネルは伝送チャネルであることを特徴とする、項目１３に記載のデータ処理方法。
（項目１５）
それぞれの前記フィールドは、それぞれの論理チャネルのために含まれることを特徴とする、項目１３に記載のデータ処理方法。
（項目１６）
前記情報は、論理チャネル情報を含むことを特徴とする、項目１４に記載のデータ処理方法。
（項目１７）
前記論理チャネル情報は、論理チャネル識別子であることを特徴とする、項目１６に記載のデータ処理方法。
（項目１８）
前記データ処理方法は、
同一の論理チャネルを通じて伝送するように、全ての上位階層データブロックに一つの共通論理チャネル識別子を付加する段階をさらに含むことを特徴とする、項目１７に記載のデータ処理方法。
（項目１９）
前記情報は、上位階層データブロックの大きさを含むことを特徴とする、項目１４に記載のデータ処理方法。
（項目２０）
前記情報は、ＭＡＣ−ｄフローを含むことを特徴とする、項目１４に記載のデータ処理方法。
（項目２１）
前記伝送チャネルは、拡張指定チャネル（Ｅｎｈａｎｃｅｄ  Ｄｅｄｉｃａｔｅｄ  Ｃｈａｎｎｅｌ：Ｅ−ＤＣＨ）を含むことを特徴とする、項目２０に記載のデータ処理方法。
（項目２２）
前記ヘッダは、前記ＭＡＣ階層データブロックに含まれ、各前記第１チャネルを通じて伝送される上位階層データブロックの数を指示するフィールドをさらに含み、前記第１チャネルは、論理チャネルであることを特徴とする、項目１３に記載のデータ処理方法。
（項目２３）
前記２タイプ以上の情報を指示する一つ以上のフィールドは、前記ＭＡＣ階層データブロックから一つ以上の上位階層データブロックを識別するために用いられることを特徴とする、項目１３に記載のデータ処理方法。
（項目２４）
前記２タイプ以上の情報は、第１チャネル識別子、前記上位階層データブロックの大きさ及びＭＡＣ−ｄフローのうちの二つ以上であることを特徴とする、項目２３に記載のデータ処理方法。
（項目２５）
無線通信システムの送信端で一つ以上の第１チャネルが第２チャネルにマッピングされるユーザー機器のＭＡＣ階層でデータを処理する方法であって、
前記一つ以上の第１チャネルを通じて受信される一つ以上の上位階層データを含み、２タイプ以上の情報を指示するフィールドを含めて一つ以上のフィールドを含むヘッダを付加することによってＭＡＣ階層データブロックを構成する段階と、
前記第２チャネルを通じて下位階層に前記ＭＡＣ階層データブロックを伝送する段階と、
を含む、データ処理方法。
（項目２６）
前記第１チャネルは論理チャネルであり、前記第２チャネルは伝送チャネルであることを特徴とする、項目２５に記載のデータ処理方法。
【００２０】
本発明の以上の、そして他の目的、特徴、様相及び利点は、添付の図面に基づいて行われる以下の本発明の詳細な説明からより明確になる。以上の一般的な説明及び以下の本発明の詳細な説明はいずれも例示的で且つ説明的なもので、請求範囲によって発明の追加的な説明が提供されることと理解しなければならない。
【発明の効果】
【００２１】
本発明の思想または範囲を逸脱しない限度内で本発明を様々に修正及び変更できることは、当業者にとって明白である。したがって、本発明は、添付する特許請求の範囲及びその均等範囲内で提供される修正及び変更を含むことは無論である。
【図面の簡単な説明】
【００２２】
【図１】従来通信システムのＵＭＴＳの網構造を示す図である。
【図２】ＵＥとＵＴＲＡＮ間に位置する無線プロトコルの構造を示す図である。
【図３】Ｅ−ＤＣＨのためのプロトコルモデルを示す図である。
【図４】Ｅ−ＤＣＨのためのプロトコル階層を示す図である。
【図５】ＭＡＣ−ｅ  ＰＤＵのデータフォーマットの一例を示す図である。
【図６】本発明を実施する無線通信装置の構成を示す図である。
【発明を実施するための形態】
【００２３】
以下、本発明の好ましい実施形態、添付された図面に表された例について詳細に説明する。図面中、同一の構成要素には可能な限り同一の参照番号を共通使用するものとする。
【００２４】
図４は、Ｅ−ＤＣＨ（Ｅｎｈａｎｃｅｄ  Ｄｅｄｉｃａｔｅｄ  Ｃｈａｎｎｅｌ）のためのプロトコルモデルを示す図である。図４で、ＤＣＨ（Ｄｅｄｉｃａｔｅｄ  Ｃｈａｎｎｅｌ）とＥ−ＤＣＨはいずれも、一つの端末が専用する伝送チャネルである。特に、Ｅ−ＤＣＨは、端末がＵＴＲＡＮにデータを上り伝送するために用いられるが、ＤＣＨに比べて高速で上りデータを伝送できる。データを高速で伝送するようにするために、Ｅ−ＤＣＨは、ＨＡＲＱ（Ｈｙｂｒｉｄ  ＡＲＱ）とＡＭＣ（Ａｄａｐｔｉｖｅ  Ｍｏｄｕｌａｔｉｏｎ  ａｎｄ  Ｃｏｄｉｎｇ）、Ｎｏｄｅ  Ｂ制御スケジューリング（Ｎｏｄｅ  ＢＣｏｎｔｒｏｌｌｅｄ  Ｓｃｈｅｄｕｌｉｎｇ）などの技術を使用する。
【００２５】
Ｅ−ＤＣＨを支援するために、Ｎｏｄｅ  Ｂは端末に、端末のＥ−ＤＣＨ伝送を制御する下り制御情報を伝送する。下り制御情報は、ＨＡＲＱのための応答情報（ＡＣＫ／ＮＡＣＫ）とＮｏｄｅ  Ｂ制御スケジューリングのためのＥ−ＤＣＨ資源割当情報などを含む。一方、端末は、Ｎｏｄｅ  Ｂに上り制御情報を伝送する。上り制御情報は、Ｎｏｄｅ  Ｂ制御スケジューリングのためのＥ−ＤＣＨ資源割当要請情報（Ｒａｔｅ  Ｒｅｑｕｅｓｔ  Ｉｎｆｏｒｍａｔｉｏｎ）、端末バッファー状態情報（ＵＥ  Ｂｕｆｆｅｒ  Ｓｔａｔｕｓ  Ｉｎｆｏｒｍａｔｉｏｎ）、端末電力状態情報（ＵＥ  Ｐｏｗｅｒ  Ｓｔａｔｕｓ  Ｉｎｆｏｒｍａｔｉｏｎ）などを含む。
【００２６】
Ｅ−ＤＣＨのために、ＭＡＣ−ｄとＭＡＣ−ｅ間にはＭＡＣ−ｄフロー（ｆｌｏｗ）が定義される。このとき、専用論理チャネルはＭＡＣ−ｄフローにマッピングされ、ＭＡＣ−ｄフローは伝送チャネルＥ−ＤＣＨにマッピングされ、伝送チャネルＥ−ＤＣＨは再び物理チャネルＥ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）にマッピング（ｍａｐｐｉｎｇ）される。
【００２７】
ＭＡＣ−ｄ副階層は、特定端末に対する専用伝送チャネルであるＤＣＨ（Ｄｅｄｉｃａｔｅｄ  Ｃｈａｎｎｅｌ）の管理を担当し、ＭＡＣ−ｅ／ＭＡＣ−ｅｓ副階層は、高速のデータを上り伝送するために用いられる伝送チャネルであるＥ−ＤＣＨ（Ｅｎｈａｎｃｅｄ  Ｄｅｄｉｃａｔｅｄ  Ｃｈａｎｎｅｌ）の管理を担当する。現在、端末ではＭＡＣ−ｅ副階層とＭＡＣ−ｅｓ副階層が明確に区分されていない。
【００２８】
送信端ＭＡＣ−ｄ副階層は、上位階層、すなわち、ＲＬＣ階層から伝達されたＭＡＣ−ｄ  ＳＤＵ（Ｓｅｒｖｉｃｅ  Ｄａｔａ  Ｕｎｉｔ）からＭＡＣ−ｄ  ＰＤＵ（Ｐｒｏｔｏｃｏｌ  Ｄａｔａ  Ｕｎｉｔ）を構成し、受信端ＭＡＣ−ｄ副階層は、下位階層から受信したＭＡＣ−ｄ  ＰＤＵからＭＡＣ−ｄ  ＳＤＵを復元して上位階層に伝達する役割を担う。あるいは、受信側のＭＡＣ−ｄ副階層は、下位階層から受信したＭＡＣ−ｄ  ＰＤＵからＭＡＣ−ｄ  ＳＤＵを識別または分離する。このとき、ＭＡＣ−ｄは、ＭＡＣ−ｄフローを通じてＭＡＣ−ｅ副階層と互いにＭＡＣ−ｄ  ＰＤＵを交換したり、ＤＣＨを通じて物理階層と互いにＭＡＣ−ｄ  ＰＤＵを交換する。受信端ＭＡＣ−ｄ副階層は、ＭＡＣ−ｄ  ＰＤＵに添付されたＭＡＣ−ｄヘッダ（ｈｅａｄｅｒ）を用いてＭＡＣ−ｄ  ＳＤＵを復元し、これを上位階層に伝達する機能を担う。
【００２９】
送信端ＭＡＣ−ｅ／ＭＡＣ−ｅｓ副階層は、上位階層、すなわち、ＭＡＣ−ｄ副階層から伝達されたＭＡＣ−ｄ  ＰＤＵらからＭＡＣ−ｅｓ  ＰＤＵを構成し、ＭＡＣ−ｅｓ  ＰＤＵからＭＡＣ−ｅ  ＰＤＵを構成する。ＭＡＣ−ｅｓ  ＰＤＵは、一つの論理チャネルを通じて伝達されるＭＡＣ−ｄ  ＰＤＵによって構成されることができる。ＭＡＣ−ｅ
ＰＤＵは多数のＭＡＣ−ｅｓ  ＰＤＵによって構成されることができるので、二つ以上の論理チャネルを通じて伝達されるＭＡＣ−ｄ  ＰＤＵによって構成されることができる。また、送信端ＭＡＣ階層で上位階層ＰＤＵから下位階層ＰＤＵを構成する過程でヘッダ（ｈｅａｄｅｒ）が追加される。該ヘッダには、上記マッピング情報を含む様々な制御情報が含まれることができる。受信端ＭＡＣ−ｅ副階層は、下位階層、すなわち、物理階層から受信したＭＡＣ−ｅ  ＰＤＵからＭＡＣ−ｅｓ  ＰＤＵを復元し、受信端ＭＡＣ−ｅｓ副階層はＭＡＣ−ｅｓ  ＰＤＵからＭＡＣ−ｄ  ＰＤＵを復元してＭＡＣ−ｄに伝達する役割を担う。このとき、ＭＡＣ−ｅは、Ｅ−ＤＣＨを通じて物理階層と互いにＭＡＣ−ｅ  ＰＤＵを交換する。
【００３０】
前述のように、受信端が送信端から一つのデータブロック（例えば、ＭＡＣ−ｅ  ＰＤＵ）を受信して多数の上位階層のデータブロック（例えば、ＭＡＣ−ｅｓ  ＰＤＵやＭＡＣ−ｄ  ＰＤＵ）に正確に分解するためには、当該送信端は、当該受信端にデータブロックを正確に分解できるようにマッピング情報（ｍａｐｐｉｎｇ  ｉｎｆｏｒｍａｔｉｏｎ）を伝送しなければならない。該マッピング情報は、データブロックのヘッダ（ｈｅａｄｅｒ）に含まれて前記受信端に伝送されることが好ましい。
【００３１】
図５は、ＭＡＣ−ｅ  ＰＤＵのデータフォーマットの一例を示す図である。図５に示すように、ＭＡＣ−ｅ  ＰＤＵは、ＭＡＣ−ｅヘッダ部分とデータ部分とで構成される。データ部分には少なくとも一つのＭＡＣ−ｅｓ  ＰＤＵが含まれることができ、図５は二つのＭＡＣ−ｅｓ  ＰＤＵが含まれる例とした。ＭＡＣ−ｅヘッダにはマッピング情報が含まれる。図５で、マッピング情報１及びマッピング情報２はそれぞれ、ＭＡＣ−ｅｓ  ＰＤＵ１及びＭＡＣ−ｅｓ  ＰＤＵ２に関するマッピング情報である。
【００３２】
また、ヘッダ部分は多様なフィールドを含む。すなわち、フィールドは、データブロックのサイズ、下位階層データブロック内の上位階層データブロックの数、及び下位階層データブロックから上位階層データブロックを活性化して識別するための論理チャネル識別子などの多様な情報として説明されることができる。このようなフィールドまたは情報がないと、データブロックは識別しにくくなるはずである。より具体的に、図５を参照すると、ＭＡＣ−ｅヘッダ部分は多様なフィールドを含むことができる。特に、上記フィールドのうち一つは、データ部分のデータを識別したり説明するための情報を含むことができる。このフィールドは、例えば、論理チャネル、ＭＡＣ−ｄフロー及び関連したＭＡＣ−ｅｓ  ＰＤＵに連結されるＭＡＣ−ｄ  ＰＤＵなどを識別できる。また、他のフィールドは、連続するＭＡＣ−ｄ  ＰＤＵ組み合わせの大きさ、ＭＡＣ−ｄ  ＰＤＵの数及び論理チャネルの識別子のような他の情報を識別できる。
【００３３】
一方、上記マッピング情報は、下位チャネル（すなわち、伝送チャネル）の資源を最小限に使用しながら受信端でデータブロックを正確に分解できるようにすることが好ましい。すなわち、当該マッピング情報は、ごく最小限のビット数を持つか、最小限の下位チャネルの資源を使用しながら最大限のデータを含むことができるように構成することが要求される。
【００３４】
マッピング情報のうちの特定情報は、効果的なマッピング情報を構成するために必要になることができる。マッピング情報は、チャネルを識別するための情報、データブロックのサイズを識別するための情報、及びデータブロックの数に対する情報を含むことができる。情報の各タイプに対する細部事項は、以下に詳細に説明される。
【００３５】
本発明の実施例として、マッピング情報の大きさを最小化するために様々な方法を考慮することができる。まず、マッピング情報はチャネルを区分するのに必要な情報を含まなければならない。すなわち、多数の上位チャネル（例えば、論理チャネル）を通じて伝達された多数の上位階層データブロックを、一つの下位階層データブロックに構成すると、マッピング情報は、当該下位階層データブロックを構成する上位階層データブロックがどのような論理チャネルを通じて伝達されたデータブロックなのかをわからねばならない。また、マッピング情報は、各論理チャネルを通じて伝達された上位階層データブロックのサイズまたは代案として下位階層ブロック内の各上位階層データブロックの境界に関する情報を提供可能でなければならない。すなわち、マッピング情報は、一つの下位階層データブロック内でどの部分がどの論理チャネルを通じて伝達されたデータなのかを知らせなければならない。このような情報がないと、受信端は一つの下位階層データブロックがどのチャネルのデータブロックのデータの組み合わせなのかはわかるが、受信端はチャネル識別情報及び／またはデータブロックのサイズに対する情報がないため、それぞれのチャネルに正確にデータを伝達してくれることはできない。
【００３６】
チャネルを識別するための情報及びデータブロックのサイズを識別するための情報に加えてマッピング情報は上位階層データブロック数を含むことができる。以下、データブロック数について述べる。
【００３７】
マッピング情報の大きさを最小化するためにチャネル識別と関連した情報が低減されうる。より具体的に、上位階層データブロック（例えば、ＭＡＣ−ｅ  ＰＤＵ）論理チャネルを通じて伝送されるときにヘッダを含む。ヘッダは、含まれるデータブロックと関連する多様な情報に含まれる一つ以上のフィールドを含む。例えば、フィールドは、論理チャネル、ＭＡＣ−ｄフロー及び関連したＭＡＣ−ｅｓ  ＰＤＵと連結されるＭＡＣ−ｄ  ＰＤＵのサイズを含む（以下、このフィールドは“データ説明フィールド”と称する。）。
【００３８】
また、ヘッダは、例えば、サイズインデックスと関連するＭＡＣ−ｅ  ＰＤＵ情報を含むフィールドを含むことができる。このフィールドは、連続したＭＡＣ−ｄ  ＰＤＵセットのサイズを識別するフィールドであるサイズインデックス、論理チャネル識別子と同じＭＡＣ−ｄに多数の論理チャネルが伝送されうる場合に論理チャネルの識別子を提供するフィールドである論理チャネル識別子、データ説明フィールド値に相応する連続したＭＡＣ−ｄ  ＰＤＵの数を識別するためのフィールドであるＭＡＣ−ｄ  ＰＤＵの数を含むことができる。
【００３９】
データ説明フィールド及び論理チャネル識別子、ＭＡＣ−ｄフロー及びＰＤＵサイズ間のマッピングは、上位階層で提供される。また、提供されうる下位階層ブロックサイズ（例えば、伝送ブロックサイズ）で量子化されるため、データ説明フィールドは、特定ＭＡＣ−ｅ  ＰＤＵに連結されるＭＡＣ−ｅｓ  ＰＤＵがそれ以上ないことを指示するためにＭＡＣ−ｅヘッダの末端に添付されることができる。
【００４０】
本来、ヘッダの各フィールドは、少なくとも１ビットで表現される。これら多数の情報フィールドは、相対的に大きい数のビットを持つヘッダを招くことができる。サイズ情報フィールドは、サイズインデックス（３ビット）、ＭＡＣ−ｄ  ＰＤＵ数（７ビット）及びフラグ（１ビット）の総１１ビットで構成される。同時に、１４ビットで構成される論理チャネルＩＤのサイズは、論理チャネルの数及びＭＡＣ−ｄ  ＰＤＵ数によって可変する。サイズ情報フィールド及びヘッダ内の論理チャネル識別子の大きさが著しく有意であることは明らかである。
【００４１】
論理チャネル識別子フィールドの機能は、ＭＡＣ−ｄ  ＰＤＵがどの論理チャネルと関連するのか識別する上で必要である。しかし、論理チャネル識別子フィールドが各ＭＡＣ−ｄ  ＰＤＵ内に含まれている必要はない。すなわち、ヘッダサイズの増加は、ＭＡＣ−ｄ  ＰＤＵの数に直接的に相応するということを意味する。一つのＭＡＣ−ｅ  ＰＤＵが同一の論理チャネルからのＭＡＣ−ｄ  ＰＤＵを一つ以上含む事実から、論理チャネル識別子が一つの論理チャネルからのＭＡＣ  ＳＤＵの各シリーズ当たり一つずつ含まれることができる。言い換えると、同一の論理チャネルに属する全てのＭＡＣ−ｄ  ＳＤＵのために共通論理チャネル識別子が一つのみ添付されることができる。実際に、共通論理チャネル識別子を一つ持つということは、ＭＡＣ−ｄ  ＳＤＵが同一の論理チャネル識別子フィールド値を持つので、受信端に曖昧な問題を引き起こさない。
【００４２】
あるいは、サイズインデックスフィールドは、ＭＡＣ−ｅ  ＰＤＵのサイズを減らすために論理チャネル識別子フィールドを参照することによって、ヘッダから除外されることができる。言い換えると、これは、論理チャネル識別子フィールドと関連した論理チャネルからのＰＤＵサイズを推測することによってわかる。
【００４３】
要するに、ＭＡＣ−ｅ  ＰＤＵヘッダ内の同じ論理チャネルのためのＭＡＣ−ｄ  ＰＤＵのために論理チャネル識別子を１回のみ含め、ＭＡＣ−ｅ  ＰＤＵヘッダ内にサイズインデックスフィールドを含めないことで、マッピング情報のサイズを低減できる。
【００４４】
データブロックのヘッダの余計なフィールド情報を減らしたり除去してマッピング情報サイズを低減することに加えて、データブロックはより效果的に用いられることができる。上述したように、マッピング情報のうちの一つは、データブロックのサイズまたは各データブロックのデータ量を識別する情報を含む。該マッピング情報に含まれる一つの論理チャネルを通じて伝達されたデータの量に関する情報は、次のような方法によって表現されることができる。まず、一つのチャネルからのデータの量そのものを直接知らせる方法がある。すなわち、一つの下位階層データブロックに第１論理チャネルを通じて伝達されたデータが１００ビットある場合、１００ビットがあると直接知らせてやる方法である。この場合、一つのチャネルからのデータを表現するのに必要なマッピング情報の量は、一つの下位階層データブロックが含むことができるデータの最大量にしたがって増加する。すなわち、下位階層データブロックが伝達可能なデータ量の最大値が１００００ビットなら、チャネル情報を知らせるためのマッピング情報は少なくともｌｏｇ２１００００＝１４ビットにはなるべきである。
【００４５】
もう一つの方法は、一つの上位階層データブロックを、サイズまたはデータ量が異なるデータブロックの集合と見なす方法である。すなわち、一つの上位階層データブロックよりも小さいサイズデータブロック（または、データ量）を持つデータブロックの大きさの組み合わせを指定しておき、その個数で当該上位階層データブロックのデータの量を表示する方法である。例えば、１００ビットの上位階層データブロックを表現する方法は、１０ビットの大きさを持つデータブロック１０個、または、２０ビットの大きさを持つデータブロックの５個の組み合わせなどがありうる。この場合、送信端と受信端間で、１０ビットまたは２０ビットなどのような基準データ量を、小さい量のデータによって表現されうるインデックス（ｉｎｄｅｘ）とマッピングさせることとあらかじめ設定しておくと（例えば、１０ビットは‘１’に、２０ビットは‘２’にマッピング）、該上位階層データブロックのデータ量は当該インデックスによって表現されることができるため、マッピング情報の大きさが小さくなることができる。
【００４６】
上記過程で、各チャネルの特性を考慮することも可能である。例えば、伝達されるデータ量の少ない第１論理チャネルに対しては、１０ビットを‘１’、２０ビットは‘２’にマッピングさせ、伝達されるデータ量の多い第２論理チャネルに対しては、５０ビットを‘１’、１００ビットを‘２’に指定する等の差別化を図ることができる。下記の表１には、各チャネルからのデータブロックの大きさに対するマッピング情報におけるインデックスに対する例を示す。
【００４７】
【表１】
2011166823.tif 000003
上記の例で、特定チャネルに対してはデータの単位大きさを可変させずに固定することができる。すなわち、当該特定チャネルに対してそのチャネルからのデータのブロック大きさが常に一定であると、送信端と受信端は、上記のように互いに単位データブロックの大きさに対する情報を一つのデータブロックを交換する度に確認する過程が省かれる。その代わりに、単にどのチャネルのデータなのかを知るとデータの単位大きさがわかる。したがって、前記特定チャネルに対して、そのチャネルの特性に応じて、上記のようなマッピング情報を互いに伝達せずにデータブロックを構成したり、データブロックを分解することが可能である。
【００４８】
少なくとも一つの上位階層データブロックを一つの下位階層データブロックに構成するか、または、その逆の過程で、前記少なくとも一つの上位階層データブロックの大きさのみを知ることは意味がない。すなわち、当該上位階層データブロックの大きさだけでなく、該上位階層データブロックの個数に対する情報がある場合に限って、受信側で一つの下位階層データブロックでの各チャネルのデータの量を正確に把握することができる。
【００４９】
もう一つの方法として、少なくとも一つの上位階層データブロックによって一つの下位階層データブロックを構成する場合、一つの論理チャネルを通じて伝達された上位階層データブロックのデータ量を二つ以上のインデックスによって表現できる方法を考慮できる。例えば、表１で、一つの下位階層データブロックを構成するときに第１論理チャネルのデータが５００ビットあると仮定する。ここで、これに対してインデックス１、すなわち、１００ビット単位のデータブロック５個によって５００ビットのデータ量を表現する方法を挙げることができる。すなわち、同一のインデックスを通じて当該上位階層データブロックのデータ量を表現する方法がありうる。他の方法としては、２００ビット、すなわち、インデックス２に該当する一つのデータブロックと３００ビット、すなわち、インデックス３に該当する一つのデータブロックを用いて５００ビットを定義する方法がある。一番目の方法は、一つの下位階層データブロックを構成するにおいて、一つのインデックス用いると、それぞれの上位階層データブロックの大きさを表現するのに必要なマッピング情報の情報量が多数のインデックスを用いる時よりも小さいという利点があるが、上位階層データブロックのデータの量によって、上位階層データブロックのデータ量を正確に満たせないという場合が生じうるという欠点がある。例えば、第２論理チャネルに１３０ビットがある場合、インデックス１のみによって上位階層データブロックのデータ量を表現すると、５０ビット×３＝１５０ビットであるから２０ビットの無駄使いが生じる。しかし、インデックス２とインデックス３によって当該上位階層データブロックのデータ量を表現すると、６０＋７０＝１３０ビットであるから正確に当該上位階層データブロックのデータ量を具現可能になる。
【００５０】
上述したように、下位階層データブロックのマッピング情報に含まれるべき別の情報は、当該下位階層データブロックのデータ量を表現するための各インデックスにマッピングされるデータブロックの個数である。上記の例で、５００ビットの上位階層データブロックが第１論理チャネルを通じて伝達された場合、マッピング情報として当該上位階層データブロックが当該第１論理チャネルを通じて伝達されたという情報と、当該上位階層データブロックのデータ量がインデックス１によって表現されるという情報のみを知らせることによっては、受信側が下位階層データブロックから当該上位階層データブロックを正確に再構成することができない。すなわち、５０ビットデータブロックが幾つあるかも知らせなければならない。該インデックスが指示する値は、上記のようにデータブロックの大きさ情報にも、または、チャネルの特性に関する他のパラメーターにもなりうる。
【００５１】
マッピング情報の大きさを最小化するための他の方法として、上位階層データブロックの伝送されるチャネルの指示情報及び該上位階層データブロックのデータ量と関連した情報を、送信端及び受信端間に既設定されたインデックス（ｉｎｄｅｘ）によって表現する方法を考慮できる。この場合には、上位階層データブロックの伝送されるチャネルの指示情報まで既設定されたインデックスによって表現するという点が、上記の別の方法と異なる。ここで、インデックスは、ヘッダ内のフィールドとして考慮されることができる。
【００５２】
すなわち、一つのインデックスによって一つの下位階層データブロックに含まれた上位階層データブロックがどのチャネルから伝送されてきたデータかを知らせ、また、どれくらいの大きさをもつデータかを知らせるように送信側及び受信側間にあらかじめ約束によって設定しておき、当該マッピング情報として既設定されたインデックスを利用する方法である。例えば、ＭＡＣ階層を媒介として一つの伝送チャネルに第１論理チャネルと第２論理チャネルがマッピングされた場合、第１論理チャネルには構成可能な３個の大きさ組み合わせがあり、第２論理チャネルには構成可能な５個の大きさ組み合わせがあると仮定する。この場合、チャネル指示情報とデータの大きさに対する情報をそれぞれマッピング情報にコーディングすると、チャネル指示情報は１ビット、データ大きさ情報は３ビットが必要である。すなわち、総４ビットが必要となる。しかし、チャネル指示情報とデータ大きさ情報を一つのインデックスで表現してコーディングする場合、可能な総組み合わせ数は８であるから、３ビットのインデックスによって表現できる。したがって、マッピング情報の大きさを最小化できるわけである。
【００５３】
本発明は、移動通信システムで記述されているが、ＰＤＡ（Ｐｅｒｓｏｎａｌ  Ｄｉｇｉｔａｌ  Ａｓｓｉｓｔａｎｔ）や無線通信機能を搭載したノートブックのための無線通信システムでも適用が可能である。また、本発明を記述する用語は、ＵＭＴＳのような無線通信システムの範囲に限定されず、本発明は、ＴＤＭＡ（Ｔｉｍｅ  Ｄｉｖｉｓｉｏｎ
Ｍｕｌｔｉｐｌｅ  Ａｃｃｅｓｓ）、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）などのように別の無線インターフェース及び物理階層を用いる無線通信システムにも適用可能である。
【００５４】
本発明の内容は、ソフトウェア、ファームウエア、ハードウェアまたはこれらの組み合わせにおいて具現可能である。すなわち、本発明の内容は、ハードウェアでコードや回路チップ及びＡＳＩＣ（Ａｐｐｌｉｃａｔｉｏｎ  Ｓｐｅｃｉｆｉｃ  ＩｎｔｅｇｒａｔｅｄＣｉｒｃｕｉｔ）のようなハードウェアロジックを用いて具現される、または、コンピュータプログラミング言語を用いてハードディスク、フロッピー（登録商標）ディスク、テープのようなコンピュータが読取可能な格納媒体、及び光ストレージ、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）でコードとして具現される。
【００５５】
当該コンピュータが読取可能な媒体に保存されたコードは、プロセッサによって接近及び実行可能である。本発明の内容が具現されたコードは、伝送媒体を通じて接近可能であるか、ネットワーク上のファイルサーバを通じて接近可能である。このような場合、コードが具現された装置は、ネットワーク伝送ラインのような有線伝送媒体、無線伝送媒体、信号伝送、無線信号、赤外線信号などを含むように構成される。
【００５６】
図６は、本発明を実施する無線通信装置の構成図である。同図で、無線通信装置１００は、マイクロプロセッサやデジタルプロセスのようなプロセシングユニットモジュール１１０とＲＦモジュール１３５、電力制御モジュール１０６、アンテナ１４０、バッテリ１５５、ディスプレイモジュール１１５、キーパッド１２０、ＲＯＭ、ＳＲＡＭ、フラッシュメモリのような格納モジュール１３０、スピーカー１４５、及びマイクロホン１５０を備える。
【００５７】
ユーザーは、キーパッド１２０のボタンを押下することによって電話番号のような命令情報を入力するか、マイクロホン１４５を用いて音声を活性化させる。プロセシングユニットモジュール１１０は、ユーザーが要求する機能を行うために、当該命令情報を受信してプロセスする。また、該機能を行うのに必要なデータを格納モジュール１３０から検索して用い、プロセシングユニットモジュール１１０は、ユーザーの命令情報と格納モジュール１３０から検索したデータを、ユーザーの便宜のためにディスプレイモジュール１１５にディスプレイさせる。
【００５８】
プロセシングユニットモジュール１１０は、音声通信データを含む無線信号を伝送するようにＲＦモジュール１３５に当該指示情報を伝達する。ＲＦモジュール１３５は、無線信号を送受信するために送信機と受信機を含み、該無線信号は最終的にアンテナを介して送受信される。ＲＦモジュール１３５は無線信号を受信すると、プロセシングユニットモジュール１１０で当該無線信号をプロセシングできるようにするために無線信号を基底帯域周波数に変換させる。この変換された信号は、スピーカー１４５を通じて伝達されたり、読取可能な情報として伝達される。
【００５９】
ＲＦモジュール１３５は、ネットワークからデータを受信したり、無線通信装置から測定したり発生した情報を伝送するのに用いられる。格納モジュール１３０は、無線通信装置から測定したり発生した情報を保存するのに用いられ、プロセシングユニットモジュール１１０は、無線通信装置からデータを受信したり、受信したデータを処理したり、処理されたデータを伝送するのに好適に用いられる。
【００６０】
本発明による無線通信装置は、図４に示すように、多数の階層（ｌａｙｅｒ）によって構成されるプロトコルスタックを持つことができる。ＵＥの媒体接続制御（ＭＡＣ：Ｍｅｄｉｕｍ  Ａｃｃｅｓｓ  ｃｏｎｔｒｏｌ）階層は、上記少なくとも一つの上位チャネルを通じて伝達される上位階層データブロックを、当該媒体接続制御階層のデータブロックに含める手段と、該媒体接続制御階層のデータブロックに含まれた当該上位階層データブロックが伝達された上位チャネルの指示情報及び各上位階層データブロックのデータ量（ａｍｏｕｎｔ）と関連した情報を含むマッピング情報（ｍａｐｐｉｎｇ  ｉｎｆｏｒｍａｔｉｏｎ）を、当該媒体接続制御階層のデータブロックに含める手段と、当該媒体接続制御階層のデータブロックを当該下位チャネルを通じて下位階層に伝達する手段と、を備えて構成されることを特徴とする。これらの各手段はソフトウェアまたはハードウェアー的に具現可能である。
【図１】
2011166823.tif 000004
【図２】
2011166823.tif 000005
【図３】
2011166823.tif 000006
【図４】
2011166823.tif 000007
【図５】
2011166823.tif 000008
【図６】
2011166823.tif 000009
【手続補正書】
【提出日】平成23年4月22日(2011.4.22)
【手続補正１】
【補正対象書類名】明細書
【補正対象項目名】０００７
【補正方法】変更
【補正の内容】
【０００７】
上記のように、従来技術においてＥ−ＤＣＨを支援するためのＭＡＣ階層は、ＭＡＣ−ｄ副階層、ＭＡＣ−ｅｓ副階層及びＭＡＣ−ｅ副階層によって構成される。一方、一つの端末であっても、同時にデータを伝送できるデータチャネルが只一つであるわけではなく、なお、それぞれのデータチャネルは、相異なるサービス品質に設定される。ここで、サービス品質は、データのエラー率、伝送遅延時間などを意味し、これは、データチャネルを利用するように設定されたそれぞれのサービスの要求事項に従う。すなわち、音声サービスとインターネットサービスがある場合、それぞれのサービスの要求事項が異なるため、データを伝達する下位チャネルの設定は異なってくる。